(57)【要約】      （修正有）【課題】高圧受電設備等は、経年汚損により絶縁耐力が次第に低下し地絡事故等の発生確率が高くなる。これを防止する為に停電して清掃する必要があった。しかし、最近では停電のできない救急医療や24時間営業の需要も増加傾向にあり、停電しないで清掃する事を求められる。活線状態での清掃は技術進歩により可能となりつつあるが、清掃後の状態確認の手段がなかった。【解決手段】ファイバースコープの技術を応用し、高耐圧ファイバースコープにより活線で安全に観察できる様にした。【選択図】図３
0003127117.tif 000002
【実用新案登録請求の範囲】
【請求項１】
高圧受電設備等の活線清掃作業に於いて、清掃の対象である碍子
等の汚損状態を安全に観察・確認する事ができる様に耐圧を保証された
ファイバースコープ。
【請求項２】
請求項１のファイバースコープに於いて、照明用光源を操作部16に配置し
直管管体12内の光ファイバーを経由して対象を照明する様にした
ファイバースコープで直管管体12の表面は撥水性の材質又は表面処理を
施したもの。
【考案の詳細な説明】
【技術分野】
【０００１】
6000V受電の自家用受電設備の活線清掃作業後の状態確認に使用される。
【背景技術】
【０００２】
受電設備の運用に於いて、電力の供給信頼度を高度に維持する為に、
設備機器の経年汚損を、状況に応じて清掃する事が必要である。
【特許文献１】関連出願としては、特開平9-146014、特開2000-221412がある。
【０００３】
一般に、高圧機器の清掃作業は、年に1回程度、全停電して安全に行う場合が
多かった。
全停電は、操業の停止を意味し、停電時間も極めて短時間に終わるように
求められる。
【０００４】
しかし、最近の傾向として、停電が出来ない需要も出現している。
具体的には、救急病院、24時間営業の店舗等があり、停電しないで活線の
状態での清掃を要求される。
【０００５】
清掃の対象は、高圧機器で、高圧碍子や樹脂製の電線貫通部のブッシング、
電線を支持する絶縁物が主なものである。
清掃後の状態確認は、目視により行われている。
【０００６】
これらの高圧機器は、屋外の自立キュービクルに収納されている場合が多く
狭い場所に据付られている。    
その為、活線状態での清掃作業は、高圧の乾燥空気を吹き付け、埃を吹き
飛ばすのであるが、感電の危険に曝され、極めて困難なものとなるが技術の
進歩により解決に向かっている。
しかし、活線で清掃した後の状態確認が出来ないと、清掃を実施したとは
認められず地絡事故等が発生する恐れがあるので安心できない。
【考案の開示】
【考案が解決しようとする課題】
【０００７】
図−1に示す様に、高圧受電キュービクル内の高圧機器の内、絶縁耐圧の
信頼度を保つ為に、特に重点的に清掃を必要とする部分は、高圧引きこみ
ケーブルの端末処理部5、高圧気中負荷開閉器4や真空遮断器のブッシング
（図示なし）、変圧器1のブッシング、進相コンデンサー2のブッシング、母線3
の支持絶縁物等から構成される。
【０００８】
図−２は、変圧器1の高圧ブッシングの裏側を観察しているところの平面図
である 。
高圧ブッシング11の扉側は、扉を開くと活線でも双眼鏡等で容易に観察
できるが、その裏側は活線では感電の危険がありアクセス不可能で直接観察
できない場合が多い。
【０００９】
そこで、対策として、胃カメラ等で進歩の著しいファイバースコープを応用し
上記の問題を解決するものである。
【００１０】
図−３は高耐圧ファイバースコープ15の全体を示している。  接眼部9で
観察する。  対物部10では光ファイバーより放射される光により、
観察の対象18を照明する。
観察の対象18からの反射光は対物レンズにより、集光しファイバースコープ
へ送られる。
AC100Vプラグ14より電源を供給し、操作部16の内部で発光ダイオード
等により照明用光源を発生し、ファイバースコープへ送る。
【００１１】
直管管体12は、絶縁物で構成した直管で光ファイバーを内蔵していて、
対物部10を目的の位置へ移動する為に使用される。
フレキシブル管体13は、予め対物部の向きを自由に変えられる様に、
フレキシブルな構造としていて、向きを保持できる。
【課題を解決するための手段】
【００１２】
活線状態で観察できるためには、対物部は6600Vに近接しているが、観察者が
手で持つ操作部16は安全な略0電位でなければならない。
つまり、誤って対物部10が6600V充電部に接触しても観察者には全く影響が
ない様にする必要がある。
【００１３】
対物部10と操作部16の間は、安全をみて10000V程度の耐圧を保証される
事が必要となる。
高耐圧ファイバースコープ15を使用する時には、接地端子17を接地極に
接続し、操作部16を略0電位に保ち観察者の安全を確保する。
【００１４】
幸いな事に、光ファイバーは材質がガラスであってもプラスチックであっても
絶縁物であるので絶縁耐圧は確保しやすい。
【考案の効果】
【００１５】
活線状態で高圧機器の清掃作業が可能になるので、停電により発生する損失
を防止できる。
人命に関る電気設備を停電させないで済む。
【００１６】
従来、極めて短い時間内の停電で、清掃作業をしていた為に、慌てて判断ミス
などのヒューマンエラーも起こりがちであったが、停電時間の制約から解放される
ので、じっくり作業ができる様になる。
【考案を実施するための最良の形態】
【００１７】
図−３で直管管体部12の表面は撥水性の材質を選択するか撥水性の表面
処理を施すのが良い。
直管管体部12の表面が小雨等で濡れても耐圧は確保される様にする。
直管管体部12の内部には導電性の材質は一切使用しない。
【実施例１】
【００１８】
図−2に示す。
【図面の簡単な説明】
【００１９】
【図１】高圧受電キュービクル
【図２】裏側の観察
【図３】高耐圧ファイバースコープ
【符号の説明】
【００２０】
１  変圧器
２  進相コンデンサー
３  高圧母線の支持絶縁物
４  高圧気中負荷開閉器
５  高圧ケーブルの端末処理部
６  扉
７  屋根
８  基礎ベース
９  接眼部
１０  対物部
１１  高圧ブッシング碍子
１２  直管管体部
１３  フレキシブル管体部
１４  電源プラグ
１５  高耐圧ファイバースコープ
１６  操作部
１７  接地端子
１８  観察の対象
【図１】
0003127117.tif 000003
【図２】
0003127117.tif 000004
【図３】
0003127117.tif 000005
【手続補正書】
【提出日】平成18年9月7日(2006.9.7)
【手続補正１】
【補正対象書類名】実用新案登録請求の範囲
【補正対象項目名】全文
【補正方法】変更
【補正の内容】
【実用新案登録請求の範囲】
【請求項１】
高圧受電設備等の活線清掃作業に於いて清掃の対象である碍子等
の汚損状態を安全に観察・確認する事ができる様に耐圧を保証する
為に商用電源より電源プラグ(14)を経由して送られた電源は
ACアダプター(26)により光源(25)に適した電圧に変換されて光源(25)
に供給される。光源(25)より放射された照明光は照明光伝送用光
ファイバー(19)を通過して対物部(10)の先端より観察の対象(18)を
照らす。
観察の対象(18)より反射した光は対物レンズ(21)により反射光伝送
用光ファイバー(20)の先端に結像する。
この像は反射光伝送用光ファイバー(20)により、操作部(16)へ伝送
され接眼レンズ経由で観察される。
この様に構成されたファイバースコープ。
【請求項２】
請求項１のファイバースコープに於いて、光源(25)を操作部(16)
に配置し直管管体部(12)内の照明光伝送用光ファイバー(19) を経由
して観察の対象(18)を照明する様にしたファイバースコープで直管管体
部(12)の構成部材は全て絶縁物であり表面は撥水性の材質又は撥水性の
表面処理を施したファイバースコープ。
【手続補正２】
【補正対象書類名】明細書
【補正対象項目名】０００２
【補正方法】変更
【補正の内容】
【０００２】
受電設備の運用に於いて、電力の供給信頼度を高度に維持する為に、
設備機器の経年汚損を、状況に応じて清掃する事が必要である。
【特許文献１】特開平9-146014
【特許文献２】特開2000-221412
【手続補正３】
【補正対象書類名】明細書
【補正対象項目名】０００７
【補正方法】変更
【補正の内容】
【０００７】
図1に示す様に、高圧受電キュービクル内の高圧機器の内、絶縁耐圧の
信頼度を保つ為に、特に重点的に清掃を必要とする部分は、高圧引きこみ
ケーブルの端末処理部(5)、高圧気中負荷開閉器(4)や真空遮断器の
ブッシング(図示なし)、変圧器(1)のブッシング、進相コンデンサー(2)の
ブッシング、母線(3)の支持絶縁物等から構成される。
【手続補正４】
【補正対象書類名】明細書
【補正対象項目名】０００８
【補正方法】変更
【補正の内容】
【０００８】
図２は、変圧器(1)の高圧ブッシングの裏側を観察中の様子を示す平面図
である。
高圧ブッシング(11)の扉側は、扉(6)を開くと活線でも双眼鏡等で容易に
観察できるが、その裏側は活線では感電の危険がありアクセス不可能で
直接観察できない場合が多い。
【手続補正５】
【補正対象書類名】明細書
【補正対象項目名】００１０
【補正方法】変更
【補正の内容】
【００１０】
図３は高耐圧ファイバースコープ(15)の全体と対物部(10)及び操作部(16)
を示している。
電源プラグ(14)より電源を供給し、操作部(16)の内部で光源(25)により
照明用光源を発生し、照明光伝送用光ファイバー(19)へ送る。
対物部(10)では照明光伝送用光ファイバー(19)の先端より放射される光に
より、観察の対象(18)を照明する。
反射光伝送用光ファイバー(20)は光ファイバーが束に構成されているが
先端の光ファイバーと後端の光ファイバーは束の中で同じ位置に配置されて
おり、1：1で光を伝送する。
観察の対象(18)からの反射光は対物レンズ(21)により、集光し反射光伝送
用光ファイバー(20)へ送られる。
その結果、反射光伝送用光ファイバー(20)の後端に像が現れる。
その像を接眼レンズ(22)を通して接眼部(9)で観察する。
【手続補正６】
【補正対象書類名】明細書
【補正対象項目名】００１１
【補正方法】変更
【補正の内容】
【００１１】
直管管体部(12)は、絶縁物で構成した直管で光ファイバー(19),(20)を内蔵
していて、対物部(10)を目的の位置へ移動する為に使用される。
フレキシブル管体(13)は、予め対物部(10)の向きを自由に変えられる様に、
フレキシブルな構造としていて、向きを保持できる。
【手続補正７】
【補正対象書類名】明細書
【補正対象項目名】００１２
【補正方法】変更
【補正の内容】
【００１２】
活線状態で観察できるためには、対物部は6600Vに近接しているが、
観察者が手で持つ操作部(16)は安全な略0電位でなければならない。
つまり、誤って対物部(10)が6600V充電部に接触しても観察者には全く
影響がない様にする必要がある。
【手続補正８】
【補正対象書類名】明細書
【補正対象項目名】００１３
【補正方法】変更
【補正の内容】
【００１３】
対物部(10)と操作部(16)の間は、安全をみて10000V程度の耐圧を保証
される事が必要となる。
高耐圧ファイバースコープ(15)を使用する時には接地端子(17)を接地極に
接続し、操作部(16)を略0電位に保ち観察者の安全を確保する。
【手続補正９】
【補正対象書類名】明細書
【補正対象項目名】００１５
【補正方法】変更
【補正の内容】
【００１５】
活線状態で高圧機器の清掃作業が可能になるので、停電により発生する
損失を防止できる。
人命に関る救急医療の電気設備を停電させないで済む。
【手続補正１０】
【補正対象書類名】明細書
【補正対象項目名】００１７
【補正方法】変更
【補正の内容】
【００１７】
図３で直管管体部(12)の表面は撥水性の材質を選択するか撥水性の表面
処理を施すのが良い。
直管管体部(12)の表面が小雨等で濡れても耐圧は確保される様にする。
直管管体部(12)の内部には導電性の材質は一切使用しない。
【手続補正１１】
【補正対象書類名】明細書
【補正対象項目名】００１８
【補正方法】変更
【補正の内容】
【００１８】
図3に示す様に、商用電源より電源プラグ(14)を経由して送られた電源は
ACアダプター(26)により光源(25)に適した電圧に変換されて光源(25)
に供給される。光源(25)より放射された照明光は照明光伝送用光
ファイバー(19)を通過して対物部(10)の先端より観察の対象(18)を照らす。
観察の対象(18)より反射した光は対物レンズ(21)により反射光伝送
用光ファイバー(20)の先端に結像する。
この像は反射光伝送用光ファイバー(20)により、操作部(16)へ伝送
され接眼レンズ経由で観察される。
この様に構成する事により対物部(10)と操作部(16)の間の直管管体部(12)
は全て絶縁性の部材で構成されるので、十分な絶縁耐圧と絶縁抵抗を得る
事ができて、安全な作業を保証される。
この様に、活線状態の高圧機器を詳細に観察、撮影可能となるので、雷害
による事故の多い柱上気中開閉器の錆の状況、特に地上からは双眼鏡では
見る事ができなかった柱上気中開閉器の天井部の錆や亀裂の有無などを
見る事ができるので、予防保全に効果的で波及事故を防止できる。
【手続補正１２】
【補正対象書類名】明細書
【補正対象項目名】００１９
【補正方法】変更
【補正の内容】
【００１９】
【図１】高圧受電キュービクル
【図２】裏側の観察
【図３】高耐圧ファイバースコープ
【図４】直管管体部の断面
【手続補正１３】
【補正対象書類名】明細書
【補正対象項目名】００２０
【補正方法】変更
【補正の内容】
【００２０】
１  変圧器
２  進相コンデンサー
３  高圧母線の支持絶縁物
４  高圧気中負荷開閉器
５  高圧ケーブルの端末処理部
６  扉
７  屋根
８  基礎ベース
９  接眼部
１０  対物部
１１  高圧ブッシング碍子
１２  直管管体部
１３  フレキシブル管体部
１４  電源プラグ
１５  高耐圧ファイバースコープ
１６  操作部
１７  接地端子
１８  観察の対象
１９  照明光伝送用光ファイバー
２０  反射光伝送用光ファイバー
２１  対物レンズ
２２  接眼レンズ
２３  軟質保護チューブ
２４  硬質保護管
２５  光源
２６  ＡＣアダプター
【手続補正１４】
【補正対象書類名】図面
【補正対象項目名】図１
【補正方法】変更
【補正の内容】
【図１】
0003127117.tif 000006
【手続補正１５】
【補正対象書類名】図面
【補正対象項目名】図２
【補正方法】変更
【補正の内容】
【図２】
0003127117.tif 000007
【手続補正１６】
【補正対象書類名】図面
【補正対象項目名】図３
【補正方法】変更
【補正の内容】
【図３】
0003127117.tif 000008
【手続補正１７】
【補正対象書類名】図面
【補正対象項目名】図４
【補正方法】追加
【補正の内容】
【図４】
0003127117.tif 000009